(57)【要約】【課題】簡易かつ確実に低燃焼停止を行う。【解決手段】燃焼室１内に設けられたメインバーナ２への空気の供給量を制御する空気量調整部（ダンパ１２、ダンパモータ１０およびリレー接点１０２）と、空気量調整部が供給する空気量が低燃焼相当であることを検知する低燃焼インターロックスイッチ１０３と、外部の制御機器から、燃焼停止要求を受けた場合に、空気量が低燃焼相当になるよう空気量調整部を制御するとともに、低燃焼インターロックスイッチ１０３による検知があった後、メインバーナ２の燃焼を停止させる指示を発する燃焼制御器１１とを備えた。【選択図】図１
2015129614.tif 000002
【特許請求の範囲】
【請求項１】
燃焼室内に設けられたバーナへの空気の供給量を制御する空気量調整部と、
前記空気量調整部が供給する空気量が低燃焼相当であることを検知する低燃焼インターロックスイッチと、
外部の制御機器から、燃焼停止要求を受けた場合に、前記空気量が低燃焼相当になるよう前記空気量調整部を制御するとともに、前記低燃焼インターロックスイッチによる検知があった後、前記バーナの燃焼を停止させる指示を発する燃焼制御器と
を備えた燃焼制御装置。
【請求項２】
前記空気量調整部は、
位置が変化することで、バーナへの空気の供給量を制御するダンパと、
前記ダンパを駆動するダンパモータと、
前記ダンパモータの動作のＯＮ／ＯＦＦを切替えるリレー接点とを備えた
ことを特徴とする請求項１記載の燃焼制御装置。
【請求項３】
前記燃焼制御器は、前記ダンパが低燃焼位置になるよう前記ダンパモータを制御した後、一定期間、前記低燃焼インターロックスイッチによる検知がない場合においても、前記バーナの燃焼を停止させる指示を発する
ことを特徴とする請求項２記載の燃焼制御装置。
【発明の詳細な説明】
【技術分野】
【０００１】
この発明は、燃焼室内の燃焼を制御する燃焼制御装置に関するものである。
【背景技術】
【０００２】
特許文献１に開示されるような工場やビルに設置された燃焼室内の燃焼を制御する燃焼制御装置において、メインバーナに対し多くの空気量及び、当該空気量に応じた量の燃料を供給している状態、即ち高燃焼で運転しているときに急に燃焼停止を行うと、燃焼室内のガス圧が変動し、他の燃焼室の燃焼に影響を与える恐れがある。そこで、従来から、上記影響を回避するために、予め、メインバーナに対し供給する空気量（及び燃料の量）を高燃焼に比べ相対的に少なくした状態（低燃焼）に調整したうえで燃焼を停止させる低燃焼停止を行っている。低燃焼停止では、燃焼制御器が起動停止要求を受けた場合に、まず、メインバーナに空気を供給する空気供給系に設けられたダンパを低燃焼位置にするようダンパモータを制御する。そして、ダンパに設けられた低燃焼インターロックスイッチが当該ダンパが低燃焼位置となったことを検知した後に、燃焼停止を行う。
【０００３】
ここで、従来の燃焼制御器では、ダンパモータのＯＮ／ＯＦＦ制御しか行うことができない。そのため、従来では、上記のような低燃焼停止動作を行うために、ダンパモータにリレー接点を有する回路を外部計装することで、低燃焼運転を可能にしている。
【先行技術文献】
【特許文献】
【０００４】
【特許文献１】特開平０５−１２６４７５号公報
【発明の概要】
【発明が解決しようとする課題】
【０００５】
上記のように、低燃焼停止動作を行う回路はダンパモータに外部計装で構成されている。しかしながら、外部計装では、低燃焼運転を行うためのリレー接点が入らないなどの故障が生じた場合に、燃焼が止まらない状況となり、延々燃焼を続けてしまう恐れがあり非効率である。また、場合によっては、装置が過熱して故障してしまう恐れがある。
また、上記低燃焼停止を行うためには、起動信号の他に、低燃焼運転を行うための指示信号も必要となり、制御が煩雑であるという課題もある。
【０００６】
この発明は、上記のような課題を解決するためになされたもので、簡易かつ確実に低燃焼停止を行うことができる燃焼制御装置を提供することを目的としている。
【課題を解決するための手段】
【０００７】
この発明に係る燃焼制御装置は、燃焼室内に設けられたバーナへの空気の供給量を制御する空気量調整部と、空気量調整部が供給する空気量が低燃焼相当であることを検知する低燃焼インターロックスイッチと、外部の制御機器から、燃焼停止要求を受けた場合に、空気量が低燃焼相当になるよう空気量調整部を制御するとともに、低燃焼インターロックスイッチによる検知があった後、バーナの燃焼を停止させる指示を発する燃焼制御器とを備えたものである。
【発明の効果】
【０００８】
この発明によれば、上記のように構成したので、簡易かつ確実に低燃焼停止を行うことができる。
【図面の簡単な説明】
【０００９】
【図１】この発明の実施の形態１に係る燃焼制御装置の構成を示す図である。
【図２】この発明の実施の形態１におけるダンパモータの構成を示す図である。
【図３】この発明の実施の形態１に係る燃焼制御装置の動作を示すタイミングチャートである。
【発明を実施するための形態】
【００１０】
以下、この発明の実施の形態について図面を参照しながら詳細に説明する。
実施の形態１．
図１はこの発明の実施の形態１に係る燃焼制御装置の全体構成を示す図である。
燃焼制御装置は、図１に示すように、燃焼室１に組み込まれたメインバーナ２及びパイロットバーナ３と、パイロットバーナ３を点火する点火トランス４と、燃焼室１内でバーナ火炎の有無を検出可能な火炎検出器５と、送風機６によりメインバーナ２に空気を供給する空気供給系７と、メインバーナ２及びパイロットバーナ３にガス等の燃料を供給する第１，２の燃料供給系８，９と、空気供給系７に設けられた後述するダンパ１２を駆動するダンパモータ１０と、第１，２の燃料供給系８，９に設けられた後述するバルブ１３〜１６及びダンパモータ１０、後述するリレー接点１０２を制御する燃焼制御器１１とを備えている。
【００１１】
この燃焼制御器１１は、外部の制御機器から起動停止要求（燃焼停止要求）を受けた場合に、ダンパ１２が低燃焼位置になるようダンパモータ１０を制御した状態で燃焼を継続する。その後、当該ダンパモータ１０の制御により、燃焼室１内が低燃焼状態になった旨を低燃焼インターロックスイッチ１０３により検知した時点で、燃焼を停止させる。また、ダンパ１２が低燃焼位置になるようダンパモータ１０を制御した後、一定期間、低燃焼インターロックスイッチ１０３による検知がない場合には、燃焼停止させる機能も有している。
【００１２】
また、メインバーナ２に空気を供給する空気供給系７には、位置が変化することで、単一の配管内の流体流量を制御するダンパ１２が接続されている。
また、メインバーナ２に燃料を供給する第１の燃料供給系８には、単一の配管内の流体流量を制御するとともに、燃焼制御装置の燃焼停止中に配管内の流体がメインバーナ２側に漏れることを防止するバルブ１３，１４が直列に接続されている。
同様に、パイロットバーナ３に燃料を供給する第２の燃料供給系９には、単一の配管内の流体流量を制御するとともに、燃焼制御装置の燃焼停止中に配管内の流体がパイロットバーナ３側に漏れることを防止するバルブ１５，１６が直列に接続されている。
当然のことながら、第１，２の燃料供給系８，９は上流側をより高圧にすることで下流側へ燃料を流す。
【００１３】
次に、ダンパモータ１０の構成について、図２を参照しながら説明する。
ダンパモータには、図２に示すように、電源１０１、リレー接点１０２及び低燃焼インターロックスイッチ１０３が接続されている。
ここで、リレー接点１０２は、ダンパモータ１０の動作のＯＮ／ＯＦＦを切替えるものある。なお、リレー接点１０２は、燃焼制御器１１で制御される。また、低燃焼インターロックスイッチ１０３は、ダンパ１２が低燃焼位置であることを検知するものである。この低燃焼インターロックスイッチ１０３は、ダンパ１２が低燃焼位置であることを検知した場合に、その旨を燃焼制御器１１に通知する。
なお、ダンパ１２、ダンパモータ１０およびリレー接点１０２は、本発明の「燃焼室内に設けられたバーナへの空気の供給量を制御する空気量調整部」を構成する。
【００１４】
次に、上記のように構成された燃焼制御装置の動作について、図３を参照しながら説明する。なお図３において、起動信号、エアフロー信号、閉信号及びフレーム信号は燃焼制御器１１への入力を示している。ここで、エアフロー信号は、空気供給系７に取付けられたエアフロースイッチ（不図示）からの空気の流れの検知信号であり、閉信号は、バルブ１３，１４に取付けられた閉確認スイッチ（不図示）からのバルブ１３，１４の閉状態の確認信号であり、フレーム信号は、火炎検出器５からのバーナ火炎の検知信号である。また図３において、ブロアモータ、点火トランス、パイロット弁及びメイン弁は燃焼制御器１１からの出力（制御信号）を示している。
【００１５】
図３に示すように、燃焼制御器１１に起動信号が入力されると、燃焼制御器１１は、プレパージを開始する。このプレパージでは、燃焼制御器１１は、ブロアモータ（不図示）が駆動するよう制御して、送風機６を停止状態から駆動状態とし、ダンパ１２の開度を最大に制御する。プレパージを予め設定した時間分実行した後、燃焼制御器１１は、入力される各信号を監視して各処理（点火待ち、イグニッショントライアル、パイロットオンリー、メイントライアル、メイン安定）の制御を行い、定常の燃焼動作制御へと移行する。
【００１６】
その後、起動信号の入力がなくなる（起動停止要求を受ける）と、燃焼制御器１１は、低燃焼停止を開始する。この低燃焼停止では、まず、ダンパ１２を低燃焼位置にするようにダンパモータ１０を制御して、低燃焼運転を行う。その後、低燃焼インターロックスイッチ１０３によりダンパ１２が低燃焼位置となったことが検知された場合に燃焼停止させる。
その後、ポストパージを開始する。すなわち、ブロアモータが駆動するよう制御して送風機６を駆動状態とする。ポストパージを予め設定した時間実行した後、燃焼制御器１１はポストパージを終了する。
【００１７】
以上のように、この実施の形態１によれば、燃焼制御器１１に、起動停止要求を受けた場合に、低燃焼運転を行った後に燃焼停止を行う機能を追加するよう構成したので、従来構成のようなリレー接点を有する回路を外部計装で設ける必要がなくなり、図２に示すようにダンパモータ１０を簡易な構成とすることができる。その結果、従来構成のようなリレー接点の故障による不安全な状態又は燃焼が継続することによる非効率な状態を回避することができる。また、図２のような構成とすることで、従来構成に対して、コストダウンを図れ、また、低燃焼停止を行う際には１つの信号（起動信号）を制御するのみでよいため簡易化を図れる。
【００１８】
また、燃焼制御器１１は、起動停止要求を受けて低燃焼モードに入り、一定時間が経っても低燃焼インターロックスイッチ１０３による検知がない場合には、強制的に燃焼停止させる機能を有している。これにより、故障による不安全な状態又は低燃焼運転が継続する状態が生じたとしても、非効率な状態からの回復を早急に行うことができる。
【００１９】
なお、本願発明はその発明の範囲内において、実施の形態の任意の構成要素の変形、もしくは実施の形態の任意の構成要素の省略が可能である。
【符号の説明】
【００２０】
１  燃焼室
２  メインバーナ
３  パイロットバーナ
４  点火トランス
５  火炎検出器
６  送風機
７  空気供給系
８，９  第１，２の燃料供給系
１０  ダンパモータ
１１  燃焼制御器
１２  ダンパ
１３〜１６  バルブ
１０１  電源
１０２  リレー接点
１０３  低燃焼インターロックスイッチ
【図１】
2015129614.tif 000003
【図２】
2015129614.tif 000004
【図３】
2015129614.tif 000005